(57)【要約】【課題】簡単な構造であり、用紙の供給速度に合わせた高速整合が可能で、用紙の画像を汚損しにくい用紙整合装置を提供する。【解決手段】用紙整合装置１は、用紙台３と、用紙台に設けられた後縁基準壁６及び一つの側縁基準壁７と、側縁基準壁の反対側に設けられた整合手段８を有する。整合手段は、用紙Ｐの側縁に接触して回転し、用紙を後縁基準壁と側縁基準壁に突き当てて整合させる。前後左右両方向について一度の動作で整合できる。整合後、用紙排出時には、整合手段を退避させる必要がなく用紙と整合部材が接したままで排出でき、高速化に対する制約がない。【選択図】図３
2012116579.tif 000002
【特許請求の範囲】
【請求項１】
供給された用紙が載置される用紙台と、
前記用紙台上に載置される用紙の後縁に沿って配置された後縁基準壁と、
前記用紙台上に載置される用紙の一方の側縁に沿って配置された側縁基準壁と、
前記用紙台上に載置される用紙の他方の側縁に沿って配置され、前記他方の側縁に接触して回転することにより用紙を前記後縁基準壁と前記側縁基準壁に突き当てて整合させる整合手段と、
を有することを特徴とする用紙整合装置。
【請求項２】
前記側縁基準壁は位置が固定されており、前記整合手段は、前記用紙台上に載置される用紙の幅に応じて移動可能としたことを特徴とする請求項１記載の用紙整合装置。
【請求項３】
前記用紙台に供給される用紙の中心線の位置を基準として前記側縁基準壁と前記整合手段の位置を用紙の幅に応じて移動可能としたことを特徴とする請求項１記載の用紙整合装置。
【請求項４】
前記整合手段は、用紙の紙面に直交する回転軸を中心として回動する弾性を備えた複数の突片部を有しており、用紙が前記後縁基準壁と前記側縁基準壁に突き当たって整合された状態において、前記突片部は弾性的に変形した状態で用紙の側縁に当接していることを特徴とする請求項１乃至３の何れか一つに記載の用紙整合装置。
【請求項５】
前記各突片部は、用紙の紙面に直交する方向に板面を有しており、その上縁には供給された用紙を受け入れる傾斜した導入部が形成されていることを特徴とする請求項４記載の用紙整合装置。
【発明の詳細な説明】
【技術分野】
【０００１】
本発明は、重ねられた複数枚の用紙の端縁を揃える用紙整合装置に係り、特に簡単な構成でありながら高速処理が可能であり、用紙に画像が形成されている場合には、その画像を汚損しにくい用紙整合装置に関するものである。
【背景技術】
【０００２】
画像形成装置で用紙に画像を形成した後、これらの用紙をまとめ、ステープルやパンチ等の後処理を施したい場合がある。そのような後処理工程のために、画像形成装置の後段には後処理装置が設置されている場合がある。このような後処理装置では、画像形成装置から搬送排出された画像形成済みの用紙を用紙台上に積載し、ステープルやパンチ等の後処理を行なう前工程として、まず積載された複数枚の用紙を前後、左右について整合処理する必要がある。このような整合処理も含めた後処理工程は、画像形成装置から連続的に流れてくる用紙に対して断続的なバッチ処理で対応するため、各処理工程での動作時間が全体の生産性に大きく影響を与え、各工程における動作時間の短縮は重要課題と考えられている。
【０００３】
図４及び図５は、画像形成装置の後段等に設置されている従来の用紙整合装置の一例を示す図である。図示しない前段の画像形成装置で画像を形成された用紙が、搬送ローラを有する排出部５０によって排出されてくる。この排出部５０の下流側には用紙整合装置６０の用紙台６１が配置されている。用紙台６１は、用紙Ｐの供給方向について後端である上流側が下となり、先端である下流側が上となるような傾斜した姿勢とされている。
【０００４】
用紙台６１の後端側には基準壁６２が設けられ、用紙Ｐの後端縁を整合するための基準となっている。用紙台６１の後端側の上方の所定位置には、第１整合手段６３が設けられている。また、用紙台６１の前端側の上方には、第２整合手段６４が用紙Ｐの供給に合わせて上下方向に揺動できるように設けられている。これら整合手段６３、６４は、用紙Ｐの幅方向に平行な回転軸を有するドラム状の部材であり、その周面には、回転軸に平行な複数枚のフィンが突設されている。これら整合手段６３、６４は、用紙Ｐの上面に接して用紙Ｐを後方に送る方向に回動することにより、用紙Ｐを基準壁６２に突き当てて用紙Ｐの前後方向の整合を行なうことができる。
【０００５】
用紙台６１の両側縁には、それぞれ整合板６５，６５が用紙Ｐの幅方向に往復動自在に設けられている。これら整合板６５が用紙Ｐを幅方向に挟むことにより、用紙台６１の上に積載された用紙Ｐを幅方向に整合することができる。
【０００６】
用紙台６１の前端側には、用紙台６１上の用紙Ｐを先方に送る第１及び第２排出ローラ６６，６７が設けられている。これら各排出ローラ６６，６７はそれぞれローラ対から構成されており、各ローラ対は用紙台６１に設けられた図示しない通孔を介して接しており、用紙Ｐを挟持して搬送することができる。搬送方向の上流側にある第１排出ローラ６６は、上方のローラが上下方向に移動可能であり、用紙Ｐの供給に合わせて上下動することにより、供給された用紙Ｐを下方のローラとの間に挟持することができる。
【０００７】
以上の構成によれば、第２整合手段６４が上方に設定され、第１排出ローラ６６の上側ローラが上方に設定され、一対の整合板６５，６５が図５中実線で示す用紙Ｐの幅よりも大きな間隔となる位置に設定された状態において、図５中破線で示すように画像形成装置から用紙Ｐが用紙台６１上に供給される。規定枚数の用紙Ｐが用紙台６１の上に積載されると、第２整合手段６４が下降して一番上の用紙Ｐの上面に接触し、第１整合手段６３とともに回動して用紙Ｐを後方に送り、用紙Ｐの後縁を基準壁６２に突き当てて用紙Ｐの前後方向の整合を行なう。また、一対の整合板６５，６５は、用紙Ｐの幅方向について接近する方向に移動し、図５中に斜線入りの表示で示す位置に設定される。これによって、用紙Ｐの両側縁は内方に押されて、左右方向の整合が行なわれる。前後方向の整合と、左右方向の整合が完了したら、第１排出ローラ６６で用紙Ｐを挟持して整合状態を保持する。その後、第２整合手段６４を上方に移動させて用紙Ｐの上面から離間させ、また一対の整合板６５，６５を外側に移動させて用紙Ｐの側縁から離間させ、その後に第１及び第２排出ローラ６６，６７を駆動することにより、整合された複数枚の用紙束を、そのままの状態で用紙台６１の外に搬出する。
以上説明した従来の用紙整合装置の他、本願出願人は下記特許文献記載の発明を認識している。
【０００８】
下記特許文献１に開示された後処理装置の発明では、逆転パドルがシート載置部材上の用紙の上面に接して回動することにより、用紙を搬送方向と反対方向に送り、フェンス４７に当接させて整合している。この機構は図４を参照して上で説明した整合手段の機構に類似した構成である。
【０００９】
下記特許文献２に開示された媒体処理装置の発明では、循環して回動する弾性変形可能な整位ベルトが用紙を送って停止部材に突き当て、載置部材上で用紙を整合している。
【先行技術文献】
【特許文献】
【００１０】
【特許文献１】特開２００２−６８５７４号公報
【特許文献２】特開２００８−１３３０３号公報
【発明の概要】
【発明が解決しようとする課題】
【００１１】
図４及び図５を参照して説明した従来の用紙整合装置６０では、用紙Ｐの幅方向を整合する一対の整合板６５，６５は、用紙Ｐの搬送のバラツキによる供給の位置ずれを見込んだ広めの間隔となる受け入れ位置（図５中、実線で表示）で待機し、供給される用紙Ｐが用紙台６１内に収納されるまで位置を保持し、用紙台６１上に全枚数が完全に積載されてから整合位置（図５中、斜線入りで表示）まで移動して整合動作を行なう必要があった。従って、画像形成装置の生産性が高いと、前段の搬送経路に用紙を一旦溜め込む場所を設ける等、用紙供給動作のバッファリング手段を設け、用紙Ｐの幅方向の整合のために整合板６５が往復動作する時間を稼ぐ必要があった。
【００１２】
また、この用紙整合装置６０では、整合した用紙Ｐの束を搬出する際に、用紙Ｐに接している整合板６５と整合手段６４を用紙Ｐから離す動作を行なう必要があるため、処理の高速化にとって不利であるという問題もあった。
【００１３】
さらに、この用紙整合装置では、用紙Ｐの幅方向の整合を整合板６５で行い、前後方向の整合を回動する整合手段で行なうため、構造及び制御が複雑であるという問題があった。
【００１４】
さらにまた、この用紙整合装置６０では、回動する整合手段６３，６４が印刷された用紙Ｐの上面に直接接するため、印刷面が汚損される場合があるという問題があった。
【００１５】
本発明は、以上説明したような従来の技術における課題に鑑みてなされたものであり、簡単な構造でありながら、用紙の供給速度に合わせて高速で整合を行なうことができ、しかも用紙に画像が形成されている場合には、その画像を汚損しにくい用紙整合装置を提供することを目的としている。
【課題を解決するための手段】
【００１６】
請求項１に記載された用紙整合装置は、
供給された用紙が載置される用紙台と、
前記用紙台上に載置される用紙の後縁に沿って配置された後縁基準壁と、
前記用紙台上に載置される用紙の一方の側縁に沿って配置された側縁基準壁と、
前記用紙台上に載置される用紙の他方の側縁に沿って配置され、前記他方の側縁に接触して回転することにより用紙を前記後縁基準壁と前記側縁基準壁に突き当てて整合させる整合手段と、
を有することを特徴としている。
【００１７】
請求項２に記載された用紙整合装置は、請求項１記載の用紙整合装置において、
前記側縁基準壁は位置が固定されており、前記整合手段は、前記用紙台上に載置される用紙の幅に応じて移動可能としたことを特徴としている。
【００１８】
請求項３に記載された用紙整合装置は、請求項１記載の用紙整合装置において、
前記用紙台に供給される用紙の中心線の位置を基準として前記側縁基準壁と前記整合手段の位置を用紙の幅に応じて移動可能としたことを特徴としている。
【００１９】
請求項４に記載された用紙整合装置は、請求項１乃至３の何れか一つに記載の用紙整合装置において、
前記整合手段は、用紙の紙面に直交する回転軸を中心として回動する弾性を備えた複数の突片部を有しており、用紙が前記後縁基準壁と前記側縁基準壁に突き当たって整合された状態において、前記突片部は弾性的に変形した状態で用紙の側縁に当接していることを特徴としている。
【００２０】
請求項５に記載された用紙整合装置は、請求項４記載の用紙整合装置において、
前記各突片部は、用紙の紙面に直交する方向に板面を有しており、その上縁には供給された用紙を受け入れる傾斜した導入部が形成されていることを特徴としている。
【発明の効果】
【００２１】
請求項１に記載された用紙整合装置によれば、用紙台に供給された用紙は、回転する整合手段によって側縁の一方側を押されて用紙台上で前後方向及び左右方向に移動するので、後縁基準壁と側縁基準壁に突き当てられ、前後方向及び左右方向の両方向について一度の動作で整合が行なわれる。このため、用紙の整合処理の高速化が実現される。
【００２２】
請求項２に記載された用紙整合装置によれば、用紙台上に載置される用紙の幅に応じて整合手段の左右方向の位置を調整することにより、この整合手段と、位置が固定された側縁基準壁との間隔を用紙の幅に合わせて最適に設定することができる。
【００２３】
請求項３に記載された用紙整合装置によれば、用紙台に供給される用紙の中心線の位置を基準として、側縁基準壁と整合手段の左右方向の位置を用紙の幅に応じて調整することにより、側縁基準壁と整合手段の間隔を用紙の幅に合わせて最適に設定することができる。
【００２４】
請求項４に記載された用紙整合装置によれば、用紙台上に用紙が供給されると、回転軸を中心に回転する整合手段の突片部は、用紙台上に供給された用紙の側縁の一方に接触しながら弾性変形し、用紙を押して後縁基準壁と側縁基準壁に突き当てる。このため、用紙は整合手段と後縁基準壁及び側縁基準壁によって保持された状態を維持できるので、そのままの整合された状態を維持しながら用紙を用紙台から搬出することができる。
【００２５】
請求項５に記載された用紙整合装置によれば、整合手段の突片部は、用紙の紙面に直交する板面の上縁に傾斜した導入部が形成された構造であるため、整合手段の上方から供給された用紙は、導入部に沿って案内されながら下降して突片部と側縁基準壁との間に入る。従って、用紙台に供給される用紙の左右方向の位置が所期の位置から多少ずれていても、用紙は問題なく整合手段と側縁基準壁との間に入り込むことができるので、確実に用紙の整合を行なうことができる。
【図面の簡単な説明】
【００２６】
【図１】本発明の実施形態に係る用紙整合装置の正面図である。
【図２】本発明の実施形態に係る用紙整合装置の平面図である。
【図３】本発明の実施形態に係る用紙整合装置において、整合手段と用紙の整合状態を示す平面図である。
【図４】従来の用紙整合装置の一例を示す正面図である。
【図５】従来の用紙整合装置の一例を示す平面図である。
【発明を実施するための形態】
【００２７】
本発明の実施の形態を図１〜図３を参照して説明する。
図１及び図２は、本実施形態の用紙整合装置１を示す図である。本実施形態では、用紙整合装置１が画像形成装置の後段に設置されているものとして説明するが、別に本発明はこのような使用形態に限定されるものではない。この用紙整合装置１は、重ねられた複数枚の用紙Ｐを揃える事が必要な種々の用途に適用可能である。
【００２８】
まず、本実施形態の用紙整合装置１の構成を説明する。
図１に示すように、図示しない前段の画像形成装置で画像を形成された用紙Ｐは、排出部２の搬送ローラによって排出される。この排出部２の下流側に、用紙整合装置１の用紙台３が配置されている。用紙台３は、用紙Ｐの供給方向について後端である上流側が下となり、先端である下流側が上となるような傾斜した姿勢で設置されている。
【００２９】
用紙台３の前端側には、用紙台３上の用紙Ｐを搬送する第１及び第２排出ローラ４，５が設けられている。これら各排出ローラ４，５はそれぞれローラ対から構成されている。各ローラ対は用紙台３に設けられた図示しない通孔を介して接しており、用紙Ｐ乃至用紙束を挟持して搬送することができる。第１及び第２排出ローラ４，５のうち、相対的に搬送方向の上流側にある第１排出ローラ４は、上方のローラが上下方向に移動可能であり、用紙Ｐの供給に合わせて上下動することにより、供給された用紙Ｐを下方のローラとの間に挟持することができる。
【００３０】
図１及び図２に示すように、用紙台３の後端側には後縁基準壁６が設けられており、用紙Ｐの後縁が突き当てられて用紙Ｐの前後方向の整合を行なうための基準となっている。また、用紙台３の左右の側縁の一方の側には、側縁基準壁７が設けられており、用紙Ｐの側縁Ｓの一方が突き当てられて用紙Ｐの左右方向の整合を行なうための基準となっている。
【００３１】
図１及び図２に示すように、用紙台３の左右の側縁Ｓの他方の側には、用紙Ｐの他方の側縁Ｓに接触して回転することにより、用紙Ｐを後縁基準壁６及び側縁基準壁７に突き当てて整合を行う整合手段８が設けられている。
【００３２】
図１に示すように、この整合手段８は、用紙台３の他方の側縁Ｓに近く、かつ用紙台３よりもやや下方の位置に、用紙台３と平行に配置された基板９を有している。図１に示すように、この基板９の上面には、用紙Ｐの供給方向について前後２か所の位置に、基板９の面及び用紙台３上にある用紙Ｐの紙面に直交する向きで回動軸１０がそれぞれ設けられている。これら２本の回動軸１０は、基板９の下側に突出した各軸端部がプーリとベルトによる連動機構１１で連動連結されており、さらに一方の回動軸１０はプーリとベルトによる連動機構１２で基板９の下面に取り付けられたモータ１３の駆動軸に連動連結されている。
【００３３】
図１に示すように、各回動軸１０には整合部材１５がそれぞれ取り付けられている。図１及び図２に示すように、整合部材１５は、回動軸１０に同軸に取り付けられて回動する筒部１６と、筒部１６の外周面に等角度間隔で設けられた弾性を有する複数の突片部１７を備えている。各突片部１７は、基板９及び用紙台３上にある用紙Ｐの紙面に直交する方向の板面を備えた板状の部材である。回動軸１０に対して直交する平面で見た図２及び図３に示すように、各突片部１７は、整合部材１５が整合時に回転方向Ｒに回転した場合に、筒部１６につながる根元の部分よりも先端の部分の方が回転方向について後方となるように、筒部１６の外周面から接線方向に沿って延設されている。
【００３４】
従って、図３に示すように、整合部材１５が用紙Ｐを整合するために所定の回転方向Ｒに回動した場合、用紙Ｐに接触する前の整合部材１５の各突片部１７は、用紙Ｐの一側縁Ｓに対して筒部１６に近い根元側から接近する。そして突片部１７は、先端縁側が一側縁Ｓに接した後、回転に伴って回転方向に向けて凸状となるように弾性的に撓み、突片部１７の先端縁側は一側縁Ｓに対して面で接触するようになる。そして整合部材１５の回動により、突片部１７と用紙Ｐの一側縁Ｓの間には摩擦力が働き、用紙Ｐには突片部１７から用紙Ｐの幅方向及び前後方向の分力を含む搬送力が与えられる。その結果、用紙Ｐは幅方向及び前後方向に移動して後縁基準壁６と側縁基準壁７に突き当てられて整合される。
【００３５】
また、図１に示すように、各突片部１７は、その上縁の外側角部に、供給された用紙Ｐを受け入れるための傾斜した導入部１８が形成されている。従って、図１に示すように、前段から用紙Ｐが用紙台３上に供給された際に、整合手段８の上方から供給された用紙Ｐは、導入部１８に沿って案内されながら下降して突片部１７と側縁基準壁７との間に入る。従って、用紙台３に供給される用紙Ｐの左右方向の位置が所期の位置から多少ずれていても、用紙Ｐは問題なく整合手段８と側縁基準壁７との間に入り込むことができるので、確実に用紙Ｐの整合を行なうことができる。
【００３６】
本実施形態では、基板９に整合部材１５及びモータ１３等を搭載してなる整合手段８は、全体として移動することができる。すなわち、図２中に整合部材１５の移動前後の位置を破線と実線で示すように、この整合手段８は、用紙台３及び用紙台３上に載置される用紙Ｐに対して用紙Ｐの幅方向Ｗと平行に所望の距離だけ移動することができる。用紙台３に供給される用紙Ｐのサイズに合わせて予め整合手段８を移動させ、適当な位置に設定しておくことにより、供給された用紙Ｐの側縁Ｓを整合部材１５によって適切な状態で押圧し、用紙Ｐを後縁基準壁６及び側縁基準壁７に突き当てて前後、左右両方向の整合を同時に行うことができる。
【００３７】
次に、本実施形態の用紙整合装置１における整合手段８の位置設定と、整合手段８による用紙Ｐの整合動作について説明する。
図３に示すように、回転する整合部材１５の突片部１７の先端が描く軌跡は、破線で示すように円となる。この整合部材１５の位置を所定サイズの用紙Ｐに合わせて予め設定する場合には、図２中の細線で示す用紙進入位置及び図３中の矢印Ａで示す用紙進入位置から分かるように、供給される用紙Ｐの一側縁Ｓが、突片部１７の先端の軌跡よりも内側に来るような位置に設定する。このように整合部材１５を配置すれば、供給される用紙Ｐの一側縁Ｓが突片部１７に当り、その先端が前記軌跡よりも軸側に来るように突片部１７は弾性的に変形することとなる。
【００３８】
前段の画像形成装置から用紙Ｐが供給され、用紙整合装置１が用紙Ｐを受け入れている間、整合手段８の整合部材１５は、用紙Ｐを後縁基準壁６及び側縁基準壁７に押し付ける回転方向Ｒに連続回転している。整合部材１５の突片部１７は、前記位置で用紙Ｐを受け入れると、用紙Ｐの一側縁Ｓに接して弾性的に変形し、用紙Ｐを幅方向及び後方に移動させて後縁基準壁６及び側縁基準壁７に突き当てる。次々に用紙Ｐを受け入れて整合している間、図３中に示すように、各整合部材１５では、少なくとも一つの突片部１７が、変形していない突片部１７の軌跡よりも略Ｅだけ撓んで用紙Ｐの一側縁Ｓに接している。このように整合部材１５は、用紙Ｐ又は用紙束を後縁基準壁６及び側縁基準壁７に押し付けた状態で保持しながら回転している。
【００３９】
指定枚数の用紙Ｐを受け入れて整合処理が完了すると、整合手段８の整合部材１５は回動を停止する。この時、停止した２つの整合部材１５，１５は、それぞれ少なくとも一つの突片部１７によって用紙Ｐの一側縁Ｓにそれぞれ接しており、用紙Ｐを後縁基準壁６及び側縁基準壁７に押し付けて保持している。従って、整合手段８が停止しても、整合された用紙Ｐの束がばらける等の不具合は生じない。
【００４０】
この状態で、第１排出ローラ４の上側のローラを下降させて用紙束を挟持し、この第１排出ローラ４及び第２排出ローラ５を駆動して用紙束を搬送し、用紙台３から先方に送り出す。この時、２個の整合部材１５，１５の突片部１７は、常に用紙Ｐの側縁Ｓ部に接した状態を維持するので、整合された用紙束が乱れることはない。また、突片部１７は用紙Ｐの側縁Ｓに当って撓んだ状態にあり、用紙Ｐの移動に連れて突片部１７は容易に弾性変形できるので、整合部材１５による保持が用紙Ｐの搬送を邪魔することもない。なお、用紙Ｐの排出の際、停止している整合部材１５は用紙Ｐの移動に連れて回るようにしておいてもよいが、用紙束が排出時にばらけないようにするためには、ロックをかけて回転しないようにした方が好ましい。
【００４１】
このように、本実施形態の用紙整合装置１によれば、整合部材１５が規定位置で常時連続回転しながら用紙Ｐを迎え入れる構造であるため、画像形成装置からの用紙供給速度に関わらず連続的に用紙Ｐを受け入れることができる。
【００４２】
また、本実施形態の用紙整合装置１では、整合後、用紙束を排出する際には整合部材１５を移動して用紙Ｐから離す必要がないため、用紙束に整合部材１５が接したままで排出でき、高速化に対する制約がない。
【００４３】
また、本実施形態の用紙整合装置１では、整合部材１５は用紙Ｐの側縁Ｓに接するだけで表面には接しないので、表面に画像が印刷されている場合に印面を損傷することがない。
【００４４】
また、本実施形態の用紙整合装置１は、弾性材料から構成された回転する整合部材１５により、用紙Ｐを先後及び左右の２方向について同時に整合できる簡単な構造であり、その制御を簡素化することもできる。
【００４５】
以上説明した実施形態では、整合部材１５が２個設けられていたので用紙Ｐの整合が確実であり、整合後に用紙束を搬出する際の用紙Ｐの保持も確実であったが、１個であっても同等の効果を挙げることができる。もちろん、３個以上設けてもかまわない。
【００４６】
また、以上説明した実施形態の整合部材１５は、筒状の本体の外周面に複数枚の羽根状の部材を設けた構造であったが、これは一例にすぎず、要するに本発明の整合手段としては、用紙Ｐの側縁Ｓに当って回転することにより用紙Ｐに２方向の送り力を与えうる部材を備えていればよい。例えば、弾性材料からなる回転ローラ等や、弾性材料からなる回動ベルト等でも前記整合部材１５と同等の作用・効果を得ることができる。
【００４７】
また、以上説明した実施形態の用紙整合装置１は、側縁基準壁７の位置が固定されており、用紙台３上に載置される用紙Ｐの幅に応じて整合手段８を移動可能としていた。しかしながら、用紙Ｐが送り込まれてくる位置が中心線基準で一定しており、側縁基準壁と整合手段の両方を移動可能とし、用紙Ｐの幅方向の外側で側縁基準壁と整合手段を待機させておき、用紙Ｐの進入後に側縁基準壁と整合手段を内方に移動させて用紙Ｐを幅方向に挟んで整合動作を行なうようにしてもよい。
【符号の説明】
【００４８】
１…用紙整合装置
３…用紙台
６…後縁基準壁
７…側縁基準壁
８…整合手段
１５…整合部材
１６…筒部
１７…突片部
１８…導入部
Ｐ…用紙
Ｓ…用紙の側縁
Ｒ…整合部材の回動方向
【図１】
2012116579.tif 000003
【図２】
2012116579.tif 000004
【図３】
2012116579.tif 000005
【図４】
2012116579.tif 000006
【図５】
2012116579.tif 000007